(57)【要約】  ディスプレイデバイスは、オーディオＡＳ及びビデオＶＳコンテンツを伴う入力信号ＡＶＳに応じて視覚的出力及び音響出力を生成するように構成される。本ディスプレイデバイスは、ディスプレイデバイスの異なる取り付けタイプのために設けられた異なる取り付けフィッティングＭＳ，ＭＷをもつキャビネットＣを含む。ディスプレイＦＰＤ、１又はそれ以上のラウドスピーカＬを含む音響システム、取り付け検出部ＳＷ（例えばマイクロスイッチ）が、ディスプレイデバイスの取り付けタイプを検出するために設けられ、補正手段ＡＦが、ディスプレイデバイスの検出された取り付けタイプに応じて、ディスプレイデバイスからの音響出力を変更するために設けられる。これにより、ディスプレイデバイスの取り付けタイプを検知することにより決定された音響環境に対応させるために、音響システムからの音響出力の周波数成分を例えば電気的に調節することが可能となる。例えば、一のマイクロスイッチは、壁取り付けとスタンド取り付けとを区別するために用いられ、ＩＩＲ又はＦＩＲフィルタのためのデジタル係数が、ディスプレイデバイスから所望の応答への音響出力を補正するために適宜選択され得る。これにより、典型的には斯様なデバイスが取り付けタイプに大いに依存するオーディオ性能を示すことから、特にフラットパネルディスプレイデバイスのサウンド性能を向上させることができる。
2012511839.tif 000002
【特許請求の範囲】
【請求項１】
オーディオ及びビデオコンテンツを伴う入力信号を受信し、視覚的出力及び音響出力を適宜生成するように構成されたディスプレイデバイスであって、
当該ディスプレイデバイスの異なる取り付けタイプのために設けられた異なる取り付けフィッティングを含むキャビネットと、
前記視覚的出力を生成するように構成されたディスプレイと、
前記音響出力を生成するように構成された、１又はそれ以上のラウドスピーカを含む音響システムと、
当該ディスプレイデバイスの取り付けタイプを検出するように構成された取り付け検出部と、
当該ディスプレイデバイスの検出された取り付けタイプに従って、当該ディスプレイデバイスからの前記音響出力を変更するように構成された補正手段とを含む、ディスプレイデバイス。
【請求項２】
前記補正手段は、前記音響システムに適用される前のオーディオ信号を変更するように構成されたフィルタを含み、前記フィルタは、当該ディスプレイデバイスの前記検出された取り付けタイプに従って調節可能な周波数応答をもつ、請求項１に記載のディスプレイデバイス。
【請求項３】
前記フィルタは、当該ディスプレイデバイスの前記検出された取り付けタイプに従って振幅応答に対して調節可能な周波数応答をもつ、請求項２に記載のディスプレイデバイス。
【請求項４】
前記フィルタは、当該ディスプレイデバイスの前記検出された取り付けタイプに従ってフィルタ設定の予め決められたセットの中から１つを選択することにより調節可能である、請求項２に記載のディスプレイデバイス。
【請求項５】
前記取り付け検出部は、電気センサデバイスを含み、当該ディスプレイデバイスの前記取り付けタイプは、前記センサデバイスの状態を検知することにより検出される、請求項１に記載のディスプレイデバイス。
【請求項６】
前記電気センサデバイスは、一の取り付けフィッティングが使用中であるかどうかを検知するために、前記キャビネットの前記異なる取り付けフィッティングのうち少なくとも１つと接続して配置される、請求項５に記載のディスプレイデバイス。
【請求項７】
前記電気センサデバイスは、壁取り付けフィッティング、及び、スタンド取り付けフィッティングのうち一方と接続して配置される、請求項６に記載のディスプレイデバイス。
【請求項８】
前記電気センサデバイスは、電気スイッチである、請求項５に記載のディスプレイデバイス。
【請求項９】
前記取り付け検出部は、ユーザからの入力に基づいて当該ディスプレイデバイスの前記取り付けタイプを検出するように構成される、請求項１に記載のディスプレイデバイス。
【請求項１０】
前記音響システムからの前記音響出力を音響的に変更するために、前記音響システムに対して取り付けるように構成された機械的手段を含む、請求項１に記載のディスプレイデバイス。
【請求項１１】
前記補正手段は、当該ディスプレイデバイスの前記取り付けタイプに関わらず通常のユーザ位置での制限されたオーディオ周波数範囲における実質的にフラットな音響周波数応答を与えるために、当該ディスプレイデバイスの前記取り付けタイプに応じて、当該ディスプレイデバイスからの前記音響出力を変更するように構成される、請求項１に記載のディスプレイデバイス。
【請求項１２】
前記ディスプレイは、フラットパネルディスプレイである、請求項１に記載のディスプレイデバイス。
【請求項１３】
ＴＶ装置、コンピュータディスプレイ及びプロジェクタデバイスのうち１つである、請求項１に記載のディスプレイデバイス。
【請求項１４】
ディスプレイデバイスの取り付けタイプに従って前記ディスプレイデバイスからの音響出力を調節する方法であって、
前記ディスプレイデバイスは、前記ディスプレイデバイスの異なる取り付けタイプのために設けられた異なる取り付けフィッティングをもつキャビネットと、視覚的出力を生成するように構成されたディスプレイと、前記音響出力を生成するように構成された１又はそれ以上のラウドスピーカを含む音響システムとを含み、
当該方法は、
前記ディスプレイデバイスの前記取り付けタイプを検出するステップと、
前記ディスプレイデバイスの検出された取り付けタイプに従って、前記ディスプレイデバイスからの前記音響出力を変更するステップとを含む、方法。
【発明の詳細な説明】
【技術分野】
【０００１】
本発明は、ディスプレイデバイスからの音響出力を調節する方法に関する。また、本発明は、斯様な方法を実行するように構成されたディスプレイデバイスに関する。
【背景技術】
【０００２】
従来のオーディオシステムの音響性能が、当該システムが部屋に配置される態様に応じて変化することは、良く知られた課題である。壁に接近して配置されたラウドスピーカは、壁から離れて配置された同一のラウドスピーカよりも著しく低音の出力を生成するだろう。同じことが、フラットパネルＴＶ装置のような内蔵型ラウドスピーカを備えたデバイスにも当てはまる。斯様なＴＶ装置は、典型的には、壁の表面に配置されるか又は壁に掛けられる。即ち、音響的な観点から理解される２つの異なる取り付けが存在する。更に、フラットパネルＴＶ装置では、ラウドスピーカは、典型的には、キャビネットの横に配置され、時々、聴取者位置から離れるように指向されるだろう。ラウドスピーカ位置は、多かれ少なかれ、ラウドスピーカに対して非常に狭い空間だけしか与えない強固なキャビネット設計要件により定められる。一の取り付け状況における適切なサウンド性能のためのＴＶ装置の設計は、他の取り付け状況においては乏しい性能をもたらすだろう。特に低周波数出力が影響を受けるが、オーディオ周波数範囲のほとんどが影響され得る。
【０００３】
ユーザは、従来の低音及び高音制御を用いてサウンド性能を調整することができ、幾つかの場合においてイコライザ機能が設けられ、これは、或る環境下で、所与の取り付け状況における相応のフラットな周波数応答を与えることができる。しかしながら、仮にこれが可能な場合であっても、多くのユーザは、適切なサウンド性能を得るために斯様な制御を適切に用いることができず、結果として、ＴＶ装置からの乏しいサウンド性能をもたらす。
【発明の概要】
【発明が解決しようとする課題】
【０００４】
本目的は、異なる取り付けタイプを可能にするとともに、異なる取り付けタイプにおいても依然として良好なサウンド性能を与える、ディスプレイデバイスを提供することにある。
【課題を解決するための手段】
【０００５】
第１の態様において、本発明は、オーディオ及びビデオコンテンツを伴う入力信号を受信し、視覚的出力及び音響出力を適宜生成するように構成されたディスプレイデバイスであって、当該ディスプレイデバイスの異なる取り付けタイプのために設けられた異なる取り付けフィッティングを含むキャビネットと、前記視覚的出力を生成するように構成されたディスプレイと、前記音響出力を生成するように構成された、１又はそれ以上のラウドスピーカを含む音響システムと、当該ディスプレイデバイスの取り付けタイプを検出するように構成された取り付け検出部と、当該ディスプレイデバイスの検出された取り付けタイプに従って、当該ディスプレイデバイスからの前記音響出力を変更するように構成された補正手段とを含む、ディスプレイデバイスを提供する。
【０００６】
本発明のディスプレイデバイスは、このディスプレイデバイスの検出された取り付けタイプに従って音響出力を変更することにより、異なる取り付け状況、即ち、壁取り付けかスタンド取り付けにおいて良好なサウンド性能を得ることができる。例えば、変更により、斯様な異なる取り付け状況における音響性能の予め決められた見識に基づく取り付けタイプに従って電気信号がラウドスピーカに入力される。これは、音響出力の自動調節が、選択された取り付けタイプに適合することを可能にし、従って、ユーザの如何なる動作を伴うことなく、全ての許容できるサウンド性能を得ることができる。以下に示されるように、この音響補正は、例えば壁又はスタンド取り付けのための取り付けフィッティングを備えたフラットパネルＴＶ装置で使用する低コスト部品で実装され得る。
【０００７】
一実施形態において、前記補正手段は、前記ラウドスピーカに適用される前のオーディオ信号を変更するように構成されたフィルタを含み、前記フィルタは、当該ディスプレイデバイスの検出された取り付けタイプに従って調節可能な周波数応答をもつ。これは、例えば、壁取り付け及びスタンド取り付けのような各取り付け状況におけるディスプレイデバイスの音響出力の測定に基づいて、選択された取り付けにおける実質的にフラット／自然な音響応答を与えるデジタルＦＩＲ又はＩＩＲベースのフィルタ係数を格納することを可能にする。他の手法は、アナログフィルタを実装することができ、取り付けに従ってこれらの間を切り替えることができる。しかしながら、取り付け検出部は、直接的壁取り付け及びアームオンウォール（arm-on-wall）のような他のタイプの取り付けと区別することができる。特に、前記フィルタは、少なくとも低／中周波数範囲にあるような、当該ディスプレイデバイスの検出された取り付けタイプに従って音響応答に対して調節可能である周波数応答をもってもよいが、好ましくは、前記フィルタは、より大きな周波数範囲における周波数応答全体に影響を与え得る。前記フィルタは、当該ディスプレイデバイスの検出された取り付けタイプに従って、予め格納されたフィルタ設定のセットのうちの１つを選択することにより、例えば、各取り付けタイプのための予め決められたフィルタに従ってＦＩＲフィルタ係数及び／又はＩＩＲフィルタ係数を格納することにより、調節可能である。
【０００８】
前記取り付け検出部は、電気センサデバイスを含み、当該ディスプレイデバイスの取り付けタイプは、前記センサデバイスの状態を検知することにより検出される。特に、電気センサデバイスは、一の取り付けフィッティングが使用中であるかどうかを検知するために、キャビネットＣの異なる取り付けフィッティングのうち少なくとも１つと接続して配置され得る。それ故、２つだけの可能な取り付けタイプの場合において、１つだけの電気センサデバイス、例えばマイクロスイッチは、どちらの取り付けタイプが用いられているかを決定し、それ故に音響出力の変更を適宜決定するために必要とされる。一の特定の実施形態において、前記電気センサデバイスは、壁取り付けフィッティング、及び、スタンド取り付けフィッティングのうち一方と接続して配置される。前記電気センサデバイスは、電気スイッチ、即ち、例えばマイクロスイッチにより取り付けのタイプを検出する機械的手法であってもよい。代わりに又は追加的に、電気センサは、取り付けタイプを検知するように構成された光学センサ、例えば赤外線ＬＥＤ及び光カプラを含んでもよい。更に代わりに又は追加的に、電気センサは、例えばキャビネットとそのキャビネットの背後の壁との間の近接（proximity）を検出するように配置された、電磁場の検出に基づく近接検出部を含んでもよい。
【０００９】
一実施形態において、前記取り付け検出部は、例えば当該ディスプレイデバイスの設定の間のセットアップメニューの表示の間による、ユーザからの入力に基づいて当該ディスプレイデバイスの取り付けタイプを検出するように構成され、ユーザは、当該ディスプレイの現在の取り付けタイプを入力することを要求される。
【００１０】
本ディスプレイデバイスは、前記ラウドスピーカからの前記音響出力を音響的に変更するために、前記ラウドスピーカに対して取り付けるように構成された機械的手段、例えば、前記ラウドスピーカの近くに配置されたバッフル（baffle）、ホーン（horn）又は同種のものの形式の特別に形成された音響反射部を含んでもよい。勿論、これは、検出された取り付けタイプに応答して特定の機械的手段を取り付けるために、例えばディスプレイを用いてユーザに伝えることによりユーザ動作を要求する。例えば、斯様な機械的手段は、電力を消費し歪みをもたらし得る過度の根音（radical）電気補正を伴うことなく、電気補正を支援し、それ故に良好なサウンド性能を得るために用いられ得る。例えば、斯様な機械的手段は、壁取り付けフィッティングと一体化されてもよく、それ故に、この壁取り付けフィッティングを用いることで、ユーザは、機械的手段を自動的に利用し、これにより、如何なる特別な動作を行う必要なく、ラウドスピーカからの音響出力の機械的な補正を利用するだろう。勿論、同じことが、前述したような、ラウドスピーカからの音響出力を補正するための機械的手段と一体化され得るスタンド取り付けフィッティングにも当てはまる。
【００１１】
好ましくは、前記補正手段は、当該ディスプレイデバイスの取り付けタイプに関わらず通常のユーザ位置での制限されたオーディオ周波数範囲における実質的にフラットな音響周波数応答を与えるために、当該ディスプレイデバイスの取り付けタイプに応じて、当該ディスプレイデバイスからの前記音響出力を変更するように構成される。
【００１２】
本ディスプレイは、特に、フラットパネルディスプレイであり得る。斯様なディスプレイタイプは、多くの場合、厳しい音響設計制限を与える小さなキャビネット内に取り付けられ、それ故、本発明のディスプレイデバイスは、斯様なディスプレイを備えたデバイスのサウンド性能を向上させることに特に関連する。本ディスプレイデバイスは、ＴＶ装置、コンピュータディスプレイ、プロジェクタデバイス等であってもよい。
【００１３】
第２の態様において、本発明は、ディスプレイデバイスの取り付けタイプに従って前記ディスプレイデバイスからの音響出力を調節する方法であって、前記ディスプレイデバイスは、前記ディスプレイデバイスの異なる取り付けタイプのために設けられた異なる取り付けフィッティングをもつキャビネット、視覚的出力を生成するように構成されたディスプレイ、及び、前記音響出力を生成するように構成されたラウドスピーカを含み、当該方法は、前記ディスプレイデバイスの取り付けタイプを検出するステップと、前記ディスプレイデバイスの検出された取り付けタイプに従って、前記ディスプレイデバイスからの前記音響出力を変更するステップとを含む、方法を提供する。
【００１４】
本発明は、図１を参照して、単なる例により説明されるだろう。
【図面の簡単な説明】
【００１５】
【図１】どの取り付けタイプがディスプレイキャビネットを取り付けるために用いられるかを検出するように構成された電気スイッチを備えたディスプレイデバイスの概略的な一実施形態を示す。
【発明を実施するための形態】
【００１６】
図１は、一の特定のディスプレイデバイスの実施形態を概略的な形式で示している。この実施形態におけるディスプレイデバイスは、オーディオビデオ入力信号ＡＶＳに応答して視覚的出力を与えるための、ＬＣＤディスプレイパネルのようなフラットパネルディスプレイＦＰＤを有する。フラットパネルディスプレイは、キャビネットＣに搭載される。更に、本デバイスは、１又はそれ以上のラウドスピーカＬを含む音響システムを含む。斯様な音響システムは、ステレオラウドスピーカのセットＬ、例えば、２方向構成の、即ち、それぞれが所望のオーディオ周波数範囲をカバーするためにクロスオーバーネットワークを介して接続された２つのラウドスピーカドライバを備えた２つのラウドスピーカのセットを含んでもよい。一般に、ラウドスピーカＬは、オーディオビジュアル入力信号ＡＶＳに応答してディスプレイデバイスからの音響出力を生成するために、キャビネット内に搭載されるだろう。ステレオラウドスピーカのセットＬを含む音響システムの場合においては、別個のラウドスピーカドライバＬは、典型的には、キャビネットＣの横に設けられる。プロセッサＰは、例えばアナログアンテナ入力信号又はデジタルＴＶ信号の形式で、オーディオビジュアル入力信号ＡＶＳを受信する。それに応えて、プロセッサＰは、ラウドスピーカＬを駆動させるためのオーディオ信号ＡＳ、及び、フラットパネルディスプレイを駆動させるためのビデオ信号ＶＳを生成する。
【００１７】
キャビネットＣは、２組の取り付けフィッティングを有し、例えば、キャビネットＣの背面への壁取り付けフィッティングのネジ取り付けを可能にするキャビネットの背面の幾つかのネジ穴の形式で、又は、後に壁に取り付けられ得るフィッティングプレート又はウォールブラケットの対面部分に取り付けるように設けられた、キャビネットＣの背面の突起部の形式で、壁等にキャビネットを取り付けるための一組の取り付けフィッティングＭＷを有する。更に、キャビネットＣは、例えば、取り付けフォークに接続されるキャビネットＣ及びスタンドプレートへの取り付けのための取り付けフォークの形式のような、キャビネットＣをスタンドマウントに取り付けるための１又はそれ以上のネジ穴の形式で、それ故にディスプレイデバイスがテーブル等の上に立つことを可能にするスタンドフィッティングＭＳをキャビネットＣの底部に有する。
【００１８】
ラウドスピーカに適用される前に、オーディオ信号ＡＳは、壁取り付けフィッティングＭＷが用いられているかどうかを検知する、スイッチＳＷの形式の取り付け検出部からの入力に応じて選択されたオーディオフィルタリングを適用するように構成された調節可能なフィルタＡＦにより電気的に補正される。壁取り付けフィッティングＭＷが用いられている場合には、その後、一のオーディオフィルタリングが適用され、それ故、キャビネットＣが壁に取り付けられる音響状況に応じてラウドスピーカＬからの音響出力を補正するのに役立つ。スイッチＳＷが、壁取り付けフィッティングＭＷが用いられていないことを検知した場合には、その後、ディスプレイデバイスがスタンド取り付けであり、それ故に音響的に"自由な"環境にあることが推定され得る。従って、調節可能なフィルタＡＦは、音響出力をラウドスピーカＬから"自由な"取り付けに補正するのに適した他のフィルタリングを選択する。
【００１９】
調節可能なフィルタＡＦにおける複数の調節可能なフィルタは、原理上、アナログ又はデジタル入力信号に対して作用し得る。しかしながら、ＩＩＲフィルタ又はＦＩＲフィルタ等により、及び、メモリ内に格納された"壁フィルタ"及び"スタンドフィルタ"のためのフィルタ係数の別個のセットにより、デジタル領域でフィルタリングが実行されることが好ましい。これらのフィルタ係数は、用いられる特定のラウドスピーカＬにより聴取位置で所望の周波数応答を得るために、例えば音響測定に基づいて、ディスプレイデバイスの設計段階で決定される。
【００２０】
スイッチＳＷは、好ましくは、例えば壁取り付けフィッティングＭＷに対してキャビネットＣに取り付けられた単純なオン／オフマイクロスイッチであり、その起動部材は、壁取り付けフィッティングＭＷが用いられているときに活性化される（例えば押される）。勿論、斯様なスイッチＳＷは、追加的に又は代わりに、スタンド取り付けフィッティングＭＳが用いられていることを検知するように配置されてもよいことが理解される。しかしながら、単純な実施形態においては、壁取り付けとスタンド取り付けとの間の区別だけが考慮され、それ故に、１つのスイッチＳＷだけが取り付けタイプを検出するために必要である。より多くの取り付けタイプが音響補正に対して考慮される必要がある場合には、多数の予め格納されたフィルタ係数のうちの正確な一つを選択することを可能とするために、より多くのスイッチ又は他のタイプのセンサが、調節可能なフィルタＡＦに対する入力として用いられてもよい。取り付けタイプのより確実なセンシングを与えるために、２又はそれ以上のスイッチＳＷが、異なる位置で、例えばキャビネットＣの背面上の２若しくはそれ以上の位置で、及び／又は、キャビネットＣの背面と接続する２若しくはそれ以上の位置で、取り付けタイプを検知するために用いられてもよい。キャビネットＣが、テーブル上に直接的に立たせるために、又は、天井ブラケット等に取り付けるために設けられたプロジェクタデバイスのような、内蔵型スタンドマウントを有する場合には、スタンドが表面上に配置されているか否かを単純に検出するために、１又はそれ以上のスイッチＳＷが斯様なスタンドの底部に配置されてもよい。
【００２１】
非常に簡素な実施形態において、電気的取り付け検出部が、例えばキャビネットＣの壁取り付けＭＷ又はスタンド取り付けＭＳに対して用いられる、取り付けネジと接触して設けられるセンサにより実装され得る。キャビネットＣの金属筺体は、典型的には、取り付けネジの固定のためのネジ穴を含み、センサは、ネジが典型的には本デバイスの電気接地である筺体とセンサとの間の電気接触を確立するように配置され得る。これにより、ネジが取り付けられているかどうかを検出することが可能となり、それ故、取り付けタイプが適宜決定され得る。
【００２２】
調節可能なフィルタＡＦにおいて補正フィルタリングを実行するための所望の周波数範囲は、実際のラウドスピーカドライバＬ、及び、キャビネットＣの外面上の音響出力ポートの位置に依存する。しかしながら、典型的なＴＶ装置の場合において、最も重要な周波数範囲は、１００〜８０００Ｈｚ等であり、これは、取り付けタイプに起因して最も大きなバリエーションをもつ周波数範囲である。
【００２３】
ステレオラウドスピーカＬを含む音響システムの場合においては、典型的には、音響出力の同一の補正が、２つのステレオチャネルに対して選択されるだろう。それ故、電気的補正の実装において、同一のフィルタ係数が双方のステレオチャネルにおける補正フィルタに対して用いられ得る。
【００２４】
要約すると、本発明は、オーディオＡＳ及びビデオＶＳコンテンツを伴う入力信号ＡＶＳに応じて視覚的出力及び音響出力を生成するように構成されたディスプレイデバイスを提供する。本ディスプレイデバイスは、ディスプレイデバイスの異なる取り付けタイプのために設けられた異なる取り付けフィッティングＭＳ，ＭＷをもつキャビネットＣを含む。ディスプレイＦＰＤ、ラウドスピーカＬ、取り付け検出部ＳＷ（例えばマイクロスイッチ）が、ディスプレイデバイスの取り付けタイプを検出するために設けられ、補正手段ＡＦが、ディスプレイデバイスの検出された取り付けタイプに応じて、ディスプレイデバイスからの音響出力を変更するために設けられる。これにより、ディスプレイデバイスの取り付けタイプを検知することにより決定された音響環境に対応させるために、ラウドスピーカからの音響出力の周波数成分を例えば電気的に調節することが可能となる。例えば、一のマイクロスイッチは、壁取り付けとスタンド取り付けとを区別するために用いられ、ＩＩＲ又はＦＩＲフィルタのためのデジタル係数が、ディスプレイデバイスから所望の応答への音響出力を補正するために適宜選択され得る。これにより、典型的には斯様なデバイスが取り付けタイプに大いに依存するオーディオ性能を示すことから、特にフラットパネルディスプレイデバイスのサウンド性能を向上させることができる。
【００２５】
本発明は、特定の実施形態に関して述べられたが、これは、ここに記載された特定の形式に限定されることを意図するものではない。むしろ、本発明の範囲は、特許請求の範囲によってのみ限定される。請求項において、"有する"という用語は、他の要素又はステップの存在を除外するものではない。追加的に、個々の特徴が異なる請求項に含まれ得るが、これらは、場合によっては有利に組み合わせられてもよく、異なる請求項への包含は、これらの特徴の組み合わせが実行可能ではない及び／又は有利ではないことを意味するものではない。加えて、単数表記は複数を除外するものではない。それ故、"第１"，"第２"等への言及は、複数を排除するものではない。更に、請求項中の参照符号は、その範囲を限定するものとして考慮されるべきではない。
【図１】
2012511839.tif 000003
【国際調査報告】
2012511839.tif 000004
2012511839.tif 000005
2012511839.tif 000006